(57)【要約】      （修正有）【課題】各表示画面において、当該表示画面の仕様に応じた情報を表示することが可能な撮像装置を提供する。【解決手段】撮像を行う撮像部と、第１表示画面の仕様と、第２表示画面の仕様を比較する比較部と、前記比較部の比較結果に基づいて、前記第１表示画面に前記撮像に関する第１情報を表示させるとともに、前記第２表示画面に前記撮像に関する前記第１情報とは異なる第２情報を表示させる制御部と、を備える撮像装置。【選択図】図２
2014150508.tif 000002
【特許請求の範囲】
【請求項１】
撮像を行う撮像部と、
第１表示画面の仕様と、第２表示画面の仕様を比較する比較部と、
前記比較部の比較結果に基づいて、前記第１表示画面に前記撮像に関する第１情報を表示させるとともに、前記第２表示画面に前記撮像に関する前記第１情報とは異なる第２情報を表示させる制御部と、を備えることを特徴とする撮像装置。
【請求項２】
請求項１に記載の撮像装置において、
前記比較部は、前記第１表示画面の表示面積と前記第２表示画面の表示面積との比較と、前記第１表示画面の画素数と前記第２表示画面の画素数との比較と、の少なくとも一方を行うことを特徴とする撮像装置。
【請求項３】
請求項１または２に記載の撮像装置において、
前記制御部は、前記撮像部の撮像に基づくスルー画を前記第１表示画面と前記第２表示画面との一方に表示し、前記スルー画を加工した画像を前記第１表示画面と前記第２表示画面との他方に表示することを特徴とする撮像装置。
【請求項４】
請求項１から３のいずれか一項に記載の撮像装置において、
前記第１表示画面の表示と前記第２表示画面の表示との一方に基づく操作を行う操作部を備え、前記制御部は、前記第１表示画面と前記第２表示画面との他方に前記操作部の操作に応じた表示を行うことを特徴とする撮像装置。
【請求項５】
請求項１または２記載の撮像装置において、
前記制御部は、前記第１表示画面に第１の階層の表示を行い、前記第２表示画面に前記第１の階層に関連した第２の階層の表示を行うことを特徴とする撮像装置。
【請求項６】
請求項１または２記載の撮像装置において、
前記制御部は、前記撮像部により撮像した画像を時間軸に応じて前記第１表示画面と前記第２表示画面とに表示することを特徴とする撮像装置。
【請求項７】
請求項１〜６のいずれか一項に記載の撮像装置において、
前記第１表示画面と前記第２表示画面との少なくとも一方を着脱可能に保持する保持部を備えたことを特徴とする撮像装置。
【発明の詳細な説明】
【技術分野】
【０００１】
本発明は、撮像装置に関する。
【背景技術】
【０００２】
従来、撮像装置に外部表示装置を接続し、撮像画像等を外部表示装置に表示させる技術が知られている（例えば特許文献１）。
【先行技術文献】
【特許文献】
【０００３】
【特許文献１】特開２０１１−４０９５０号公報
【発明の概要】
【発明が解決しようとする課題】
【０００４】
従来技術には、複数の表示画面の各々がどのような仕様を有するかに関わらず、画一的な表示しかできないという問題があった。
【課題を解決するための手段】
【０００５】
請求項１に記載の撮像装置は、撮像を行う撮像部と、第１表示画面の仕様と、第２表示画面の仕様を比較する比較部と、前記比較部の比較結果に基づいて、前記第１表示画面に前記撮像に関する第１情報を表示させるとともに、前記第２表示画面に前記撮像に関する前記第１情報とは異なる第２情報を表示させる制御部と、を備えることを特徴とする。
【発明の効果】
【０００６】
本発明によれば、各表示画面において、当該表示画面の仕様に応じた情報を表示することができる。
【図面の簡単な説明】
【０００７】
【図１】本発明の第１の実施の形態に係るカメラシステムの構成を模式的に示す断面図である。
【図２】ボディ制御装置１０９と種々の表示装置との接続関係を示すブロック図である。
【図３】外部モニタの外観の例を示す図である。
【図４】ボディ制御装置１０９が実行する外部モニタ初期化処理のフローチャートである。
【図５】撮影待機状態におけるメインモニタおよびサブモニタの表示内容を示す図である。
【図６】内部モニタ１１４を設けたカメラシステム１の外観図である。
【発明を実施するための形態】
【０００８】
（第１の実施の形態）
図１は、本発明の第１の実施の形態に係るカメラシステムの構成を模式的に示す断面図である。デジタルカメラ１は、カメラボディ１００と、カメラボディ１００に着脱可能な交換レンズ２００と、から構成される。
【０００９】
カメラボディ１００は、いわゆるバヨネット方式のレンズマウントを有している。交換レンズ２００のマウント部をカメラボディ１００のマウント部に嵌め込み固定すると、交換レンズ２００のマウント部近傍に設けられた複数の電気接点２０２が、カメラボディ１００のマウント部近傍に設けられた複数の電気接点１０２と電気的に接続される。
【００１０】
交換レンズ２００は、被写体からの光束を受光して被写体像を撮像面上に結像させる結像光学系を有する。この結像光学系は複数のレンズ２０３、２０４、２０５と、絞り２０６とから構成される。このうちレンズ２０４は、光軸Ｏに沿った方向に移動可能なフォーカシングレンズである。カメラボディ１００は、結像光学系により結像された被写体像を撮像し、被写体像を電気信号に変換して出力する撮像素子１０４を有する。撮像素子１０４は例えばＣＣＤやＣＭＯＳなどの固体撮像素子である。なお図１では省略しているが、撮像素子１０４の撮像面には、赤外光をカットするための赤外カットフィルタや画像の折り返しノイズを防止するための光学的ローパスフィルタなどが配置されている。
【００１１】
カメラボディ１００内にはクイックリターンミラー１０３が配置されている。クイックリターンミラー１０３は、結像光学系からの被写体光をカメラボディ１００の上部に配置したファインダースクリーン１０７に向けて反射させる反射位置（図１に実線で示す位置）と、結像光学系からの被写体光の光路外の退避位置（図１に破線で示す位置）とを移動可能に構成されている。クイックリターンミラー１０３は、光学ファインダーの利用時には反射位置に移動され、撮影時やライブビュー機能の利用時には退避位置に移動される。ファインダースクリーン１０７は、反射位置のクイックリターンミラー１０３に対し撮像素子１０４と共役な位置に配置されている。
【００１２】
クイックリターンミラー１０３が反射位置にあるとき、クイックリターンミラー１０３の反射面で反射した被写体光は、ファインダースクリーン１０７を透過してペンタプリズム１０８（ペンタゴナルダハプリズム）に導入され、接眼レンズ１１０に向け出射される。撮影者は接眼レンズ１１０を介して被写体像を視認することができる。
【００１３】
クイックリターンミラー１０３の中心付近（光学系の光軸Ｘ付近）はハーフミラーになっており、被写体光の一部はこのハーフミラー部を透過する。この透過光束は、クイックリターンミラー１０３の裏面に設けられたサブミラー１０５により反射し、カメラボディ１００の下部に設けられた焦点検出装置１０６に入射する。焦点検出装置１０６は、周知の瞳分割型位相差検出方式等の焦点検出処理を実行し、結像光学系の焦点調節状態を検出する。
【００１４】
クイックリターンミラー１０３およびサブミラー１０５が退避位置に移動すると、結像光学系を透過した被写体光は撮像素子１０４に導入されるようになる。このとき、撮像素子１０４は撮像面に結像した被写体像を撮像することができる。
【００１５】
交換レンズ２００は、交換レンズ２００の各部を制御するレンズ制御装置２０９を備える。また、カメラボディ１００は、カメラボディ１００の各部を制御するボディ制御装置１０９を備える。レンズ制御装置２０９とボディ制御装置１０９は、カメラボディ側および交換レンズ側それぞれのマウント部に設けられた複数の電気接点１０２、２０２を介して電気信号を授受することにより、双方向のデータ通信を行うことができる。
【００１６】
交換レンズ２００は、フォーカシングレンズ２０４を光軸Ｏに沿った方向に駆動するレンズ駆動部２０７を備える。レンズ駆動部２０７は、不図示のアクチュエータ（例えばステッピングモータ等）を備え、レンズ制御装置２０９から与えられた駆動速度、駆動量、および駆動方向に従ってフォーカシングレンズ２０４を駆動する。
【００１７】
カメラボディ１００は、不図示のアクチュエータを有する絞り駆動部１１１を備える。絞り駆動部１１１は、そのアクチュエータによる駆動力を交換レンズ内の絞り２０６に伝達し、絞り２０６を駆動する。
【００１８】
カメラボディ１００の背面（ファインダーが設けられている面）には、例えば液晶パネル等により構成された背面モニタ１１２が設けられている。ボディ制御装置１０９は、撮影画像や種々の設定画面を背面モニタ１１２に表示するための制御を行う。背面モニタ１１２の表示面には、例えば静電容量方式のタッチパネル１１３が積層されている。タッチパネル１１３は、ユーザの指等が接触した位置を検出し、ボディ制御装置１０９に報知する。
【００１９】
（外部モニタの説明）
図２は、ボディ制御装置１０９と種々の表示装置との接続関係を示すブロック図である。ボディ制御装置１０９は、図１で説明した背面モニタ１１２と電気的に接続されている。ボディ制御装置１０９は、背面モニタ１１２に映像信号を出力し、背面モニタ１１２に種々の情報（例えばスルー画や撮影画像、設定メニュー等）を表示させることができる。
【００２０】
ボディ制御装置１０９は、コネクタ１２１、電気接点群１２２、および無線通信モジュール１２３を介して種々の外部モニタ３００に接続することが可能である。
【００２１】
より具体的に説明すると、外部モニタ３００には、コネクタ１２１を介してカメラボディ１００と接続可能な第１外部モニタ３０１、電気接点群１２２を介してカメラボディ１００と接続可能な第２外部モニタ３０２、無線通信モジュール１２３を介してカメラボディ１００と接続可能な第３外部モニタ３０３、の３つの種類が存在する。なお、以下の説明では、第１外部モニタ３０１と第２外部モニタ３０２と第３外部モニタ３０３とを総称して外部モニタ３００という。デジタルカメラ１は、外部モニタ３００を接続せずに使用することもできるし、外部モニタ３００を１つだけ接続して使用することも、２つ以上の外部モニタ３００を接続して使用することもできる。
【００２２】
ボディ制御装置１０９は、コネクタ１２１、電気接点群１２２、および無線通信モジュール１２３を介して、当該インタフェースに接続された外部モニタ３００との間で双方向のデータ通信を行うことができる。例えば、ボディ制御装置１０９はこのデータ通信により映像信号を送信し、外部モニタ３００に種々の情報（例えばスルー画や撮影画像、設定メニュー等）を表示させることができる。
【００２３】
コネクタ１２１は、例えば同軸コネクタやＤ−ｓｕｂコネクタ等であり、カメラボディ１００の側面に設置される。コネクタ１２１には、コネクタ１２１と対応する形状のレセプタクルを有するケーブル１０によって、第１外部モニタ３０１を電気的に接続することが可能である。第１外部モニタ３０１を接続すると、カメラボディ１００から第１外部モニタ３０１に対し、コネクタ１２１およびケーブル１０を介した電力供給が開始される。
【００２４】
電気接点群１２２は、カメラボディ１００の上部に位置するアクセサリーシューに設けられている。アクセサリーシューに第２外部モニタ３０２を装着すると、電気接点群１２２は、第２外部モニタ３０２に設けられている電気接点群１２と電気的に接続される。第２外部モニタ３０２を接続すると、カメラボディ１００から第２外部モニタ３０２に対し、電気接点群１２２および電気接点群１２を介した電力供給が開始される。
【００２５】
無線通信モジュール１２３は、例えば光や電波等によって、第３外部モニタ３０３に設けられた無線通信モジュール１３と無線通信を行うことができる電子回路である。例えば、ボディ制御装置１０９が無線通信モジュール１２３に映像信号を出力すると、無線通信モジュール１２３はその映像信号を光や電波等に変調し、第３外部モニタ３０３の無線通信モジュール１３に送信する。無線通信モジュール１３はそれを受信して元の映像信号に復調し、第３外部モニタ３０３に当該映像信号に基づく情報を表示させる。第３外部モニタ３０３はバッテリー等の電力供給源を内蔵しており、カメラボディ１００から電力供給を受けずに動作する。
【００２６】
図３は、外部モニタの外観の例を示す図である。図３（ａ）には第１外部モニタ３０１を、図３（ｂ）には第２外部モニタ３０２を、図３（ｃ）には第３外部モニタ３０３を、それぞれ例示する。
【００２７】
図３（ａ）に示すように、第１外部モニタ３０１はケーブル１０によってカメラボディ１００に接続される。ユーザは、デジタルカメラ１の使用時、第１外部モニタ３０１を、ケーブル１０の届く任意の範囲に設置する。
【００２８】
図３（ｂ）に示すように、第２外部モニタ３０２は、カメラボディ１００の上部に設けられたアクセサリーシュー１５に装着される。第２外部モニタ３０２は可動式の脚部１４を有しており、ユーザは第２外部モニタ３０２の向きを上下方向および左右方向に自在に変化させることができる。なお、図３（ｂ）では図示を省略しているが、第２外部モニタ３０２には、カメラボディ１００が有するアクセサリーシュー１５と同様のアクセサリーシューを設けることが望ましい。そのように第２外部モニタ３０２を構成することで、カメラボディ１００のアクセサリーシュー１５に設置可能なアクセサリー（例えばスピードライト等）を、第２外部モニタ３０２に設けられたアクセサリーシューに装着し、第２外部モニタ３０２とそのアクセサリーとを同時に利用することが可能になる。
【００２９】
図３（ｃ）に示すように、第３外部モニタ３０３は、カメラボディ１００と完全に分離されている。ユーザは、デジタルカメラ１の使用時、第３外部モニタ３０３を、デジタルカメラ１と無線通信が可能な任意の位置で利用することができる。
【００３０】
なお、以上で述べた各外部モニタの設置方法は一例であり、これらを適宜組み合わせてもよい。例えば、ケーブル１０を介してデータ通信を行う第１外部モニタ３０１や、無線によるデータ通信を行う第３外部モニタ３０３を、アクセサリーシュー１５に装着可能に構成してもよい。この場合、データ通信はケーブル１０や無線により行い、電気接点群１２２から各外部モニタに対して電力供給を行なうようにしてもよい。また、第２外部モニタ３０２とアクセサリーシュー１５との間をケーブル等により接続することで、第２外部モニタ３０２をカメラボディ１００から分離可能に構成してもよい。また、カメラボディ１００に背面モニター１１２に加えて別のモニターを設けるようにしてもよい。
【００３１】
（各モニタの管理方法の説明）
ボディ制御装置１０９は、背面モニタ１１２と接続中の外部モニタ３００（第１外部モニタ３０１、第２外部モニタ３０２、第３外部モニタ３０３のいずれか）とに対し、一意な管理番号を割り当てる。管理番号は０から始まる整数であり、小さい管理番号を有するモニタほど重要な情報の表示に使われる。以下の説明では、管理番号が０のモニタをメインモニタと呼び、管理番号が１以上の他のモニタをサブモニタと呼ぶ。メインモニタおよびサブモニタへの具体的な表示内容については後に詳述する。
【００３２】
外部モニタ３００が接続されていないとき、背面モニタ１１２が管理番号０のメインモニタとなる。なお、実施例の説明を簡単にするために、サブモニタは存在しないものとして説明を続ける。
【００３３】
１つ目の外部モニタ３００が接続されたとき、ボディ制御装置１０９は外部モニタ初期化処理を実行する。外部モニタ初期化処理においてボディ制御装置１０９は、当該外部モニタ３００とのデータ通信により、当該外部モニタ３００の表示仕様を受信する。そして、ボディ制御装置１０９は、受信した外部モニタ３００の表示仕様と背面モニタ１１２の表示仕様とを比較して、その外部モニタ３００および背面モニタ１１２に割り当てる管理番号を決定する。
【００３４】
図４は、ボディ制御装置１０９が実行する外部モニタ初期化処理のフローチャートである。まずステップＳ１００においてボディ制御装置１０９が、１つ目の外部モニタ３００が接続されたか否かを判定する。外部モニタ３００の接続がされていない場合はステップＳ１００を繰り返すか本フローチャートを終了し、外部モニタ３００が接続されていた場合にはステップＳ１１０に進む。
【００３５】
ボディ制御装置１０９は、ステップＳ１１０において、外部モニタ３００とのデータ通信により、外部モニタ３００から当該外部モニタ３００の仕様に関するデータを受信する。本実施形態では、このデータは外部モニタ３００の表示画素数（例えば、横６４０ピクセル×縦４８０ピクセル）を表すデータである。
【００３６】
続くステップＳ１２０でボディ制御装置１０９は、外部モニタ３００の表示画素数（ステップＳ１１０で受信したデータにより表される）と、背面モニタ１１２の表示画素数とを比較する。外部モニタ３００の表示画素数が背面モニタ１１２の表示画素数よりも多い場合、ステップＳ１３０に進み、ボディ制御装置１０９は、外部モニタ３００の管理番号を０に設定し、背面モニタ１１２の管理番号を１に設定する。すなわち、外部モニタ３００の表示能力が背面モニタ１１２の表示能力よりも優れている場合、ボディ制御装置１０９は、外部モニタ３００をメインモニタとして扱い、背面モニタ１１２をサブモニタとして扱う。
【００３７】
他方、外部モニタ３００の表示画素数が背面モニタ１１２の表示画素数以下の場合、ステップＳ１４０に進み、ボディ制御装置１０９は、外部モニタ３００の管理番号を１に設定し、背面モニタ１１２の管理番号を０に設定する。すなわち、外部モニタ３００の表示能力が背面モニタ１１２の表示能力よりも劣っているか、あるいは外部モニタ３００の表示能力と背面モニタ１１２の表示能力とが同一である場合、ボディ制御装置１０９は、外部モニタ３００をサブモニタとして扱い、背面モニタ１１２をメインモニタとして扱う。
【００３８】
以上、１つ目の外部モニタ３００が接続されたときに実行されるモニタ初期化処理について説明した。カメラボディ１００には複数の外部モニタ３００を接続可能であり、２つ目以降の外部モニタ３００が接続されたときにも、ボディ制御装置１０９はモニタ初期化処理を実行する。このモニタ初期化処理では、ステップＳ１２０において、背面モニタ１１２の表示仕様と新たに接続された外部モニタ３００の表示仕様と既に接続されていた外部モニタ３００の表示仕様とを互いに比較し、各モニタの表示能力について順序付けを行う。そして、最も表示能力が優れているモニタから順に小さい管理番号を付与する。
【００３９】
（メインモニタおよびサブモニタへの表示内容の説明）
次に、ボディ制御装置１０９によるメインモニタおよびサブモニタへの表示内容について、デジタルカメラ１の動作と併せて説明する。デジタルカメラ１は、（１）電源オフ状態、（２）撮影待機状態、（３）ライブビュー状態、（４）動画撮影状態、のいずれかの動作状態をとる。
【００４０】
（１）電源オフ状態
デジタルカメラ１が電源オフ状態のとき、デジタルカメラ１による電力消費は低く保たれ、ユーザは撮影を行うことができない。ユーザが不図示の電源スイッチをオンすると、カメラボディ１００は撮影待機状態に遷移する。
【００４１】
（２）撮影待機状態
図５は、撮影待機状態におけるメインモニタおよびサブモニタの表示の一例を示す図である。ボディ制御装置１０９は、サブモニタが存在しない（すなわち外部モニタ３００が接続されていない）とき、メインモニタ（すなわち背面モニタ１１２）に図５（ａ）に示す画面２０を表示する。画面２０には、現在の撮影設定項目２２ａ〜２２ｆが一覧表示されている。
【００４２】
撮影設定項目２２ａは撮影時のシャッタースピードである。撮影設定項目２２ｂは撮影絞り値である。撮影設定項目２２ｃはホワイトバランスである（例えばオート、蛍光灯、白熱灯など）。撮影設定項目２２ｄはＩＳＯ感度である。撮影設定項目２２ｅはＡＦモードである（例えばオート、シングル、コンティニュアスなど）。撮影設定項目２２ｆは露出補正値である。なお、ここで挙げた各撮影設定項目は一例であり、画面２０にこれら以外の項目が存在してもよいし、これらの撮影設定項目のうち一部だけを画面２０に表示するようにしてもよい。
【００４３】
撮影設定項目２２ａ〜２２ｆのうち、撮影設定項目２２ｄにはカーソル２１が重畳表示されている。カーソル２１は、この撮影設定項目２２ｄが選択状態であることを表している。ユーザは、タッチパネル１１３のタッチ操作や不図示の操作部材（例えば上下方向と左右方向に押下可能なカーソルキー等）によりカーソル２１を移動させ、撮影設定項目２２ａ〜２２ｆから任意の１つを選択状態にすることができる。ＩＳＯ感度に関する撮影設定項目２２ｄが選択されると、メインモニタ（すなわち背面モニタ１１２）に表示されていた画面２０は、図５（ｂ）に示す画面３０に変化する。すなわち、画面２０（図５（ａ））において選択状態であった撮影設定項目２２ｄの近傍に、設定可能なＩＳＯ感度の値を一覧するサブメニュー３３が表示される。
【００４４】
サブメニュー３３には、ＩＳＯ１００に対応する項目３２ａ、ＩＳＯ２００に対応する項目３２ｂ、ＩＳＯ４００に対応する項目３２ｃ、ＩＳＯ６４０に対応する項目３２ｄ、ＩＳＯ８００に対応する項目３２ｅ、ＩＳＯ１０００に対応する項目３２ｆ、およびＩＳＯ１２００に対応する項目３２ｇが含まれる。なお、サブメニュー３３がより多くの項目（設定可能なＩＳＯ感度の値）を含んでいてもよく、画面３０に収まらない場合にはサブメニュー３３を上下方向にスクロール可能に構成すればよい。サブメニュー３３の項目３２ａ〜３２ｇのうち、項目３２ｂには撮影設定項目２２ｄと同様にカーソル３１が重畳表示されており、項目３２ｂが選択状態であることを表している。ユーザは、タッチパネル１１３のタッチ操作や不図示の操作部材によりカーソル３１を移動させ、サブメニュー３３の項目３２ａ〜３２ｇから任意の１つを選択状態にすることができる。例えばＩＳＯ４００に対応する項目３２ｃが選択されれば、ＩＳＯ４００（すなわち項目３２ｃに対応する値）に更新される。
【００４５】
つまり、ボディ制御装置１０９は、メインモニタにまず第１階層のメニュー（撮影設定項目２２ａ〜２２ｆ）を表示させ、そのメニューからいずれか１つの項目が選択されると、その下層である第２階層のメニュー（サブメニュー３３）を表示する。
【００４６】
他方、撮影待機状態で且つサブモニタが存在するとき、ボディ制御装置１０９は、メインモニタに図５（ｃ）に示す画面４０を表示させ、サブモニタには図５（ｄ）に示す画面５０を表示する。メインモニタに表示される画面４０は、図５（ａ）と同様に現在の撮影設定項目２２ａ〜２２ｆが一覧表示される。一方、サブモニタに表示される画面５０は、メインモニタに表示された撮影設定項目２２ａ〜２２ｆのうち、現在選択状態となっている撮影設定項目２２ｄ（すなわちＩＳＯ感度）に設定可能な項目３２ａ〜３２ｇが一覧表示される。
【００４７】
多数の撮影設定項目を一覧表示するには、高い画素数の表示装置が適しているため、ボディ制御装置１０９は撮影設定項目の一覧表示をメインモニタに行う。また、それら一覧表示された個々の撮影設定を変更する際には、個々の撮影設定に設定可能な値が予め一覧表示されていると操作しやすい。そこでボディ制御装置１０９は、個々の撮影設定に設定可能な値をサブモニタに一覧表示し、ユーザに設定したい値を選択させる。ボディ制御装置１０９、サブモニタにおいて現在の設定とは異なる値が選択されると、これに応じて、メインモニタに表示されている撮影設定項目を更新する。
【００４８】
つまり、ボディ制御装置１０９は、メインモニタに第１階層のメニュー（撮影設定項目２２ａ〜２２ｆ）を表示しており、サブモニタに第１階層のメニューに関連した第２階層のメニュー（設定可能な値３２ａ〜３２ｇ）を表示している。
【００４９】
撮影待機状態のとき、ユーザが所定操作（例えばレリーズスイッチの半押し操作）を行うと、ボディ制御装置１０９は自動焦点調節処理を実行する。具体的には、焦点検出装置１０６に結像光学系の焦点調節状態を検出させた後、その検出結果に基づいて、レンズ制御装置２０９にフォーカシングレンズ２０４を駆動させる。ボディ制御装置１０９は、ユーザが光学ファインダーを利用したことをアイセンサなどにより検出した場合に、自動焦点調節処理の実行中、メインモニタおよびサブモニタには何の情報も表示しない。このようにするのは、ユーザが光学ファインダーを覗いてピント位置や構図を確認することを妨げないためである。なお、デジタルカメラ１の電源スイッチのオンに後述のライブビュー状態とし、不図示の操作部材の操作に応じて撮影待機状態とするようにしてもよい。
【００５０】
自動焦点調節処理の実行後、ユーザが所定操作（例えばレリーズスイッチの全押し操作）を行うと、ボディ制御装置１０９は撮影処理を実行する。撮影処理において、ボディ制御装置１０９はクイックリターンミラー１０３およびサブミラー１０５を一時的に退避位置に移動した後、撮像素子１０４に被写体像を撮像させる。そして、撮像素子１０４のから出力された撮像信号に種々の画像処理を施して画像データを作成し、不図示の記憶媒体（例えばメモリカード等）に画像データを記憶する。
【００５１】
撮影処理の実行後、ボディ制御装置１０９は、ユーザが撮影結果を確認できるよう、その撮影処理により撮影された画像データを所定時間（例えば５秒間）だけメインモニタに表示する（いわゆるポストビュー表示）。このとき、ボディ制御装置１０９は、サブモニタにその画像データを撮影した際の撮影設定（図５（ａ）に示した各撮影設定項目の値）や、その画像データのヒストグラム等を表示させる。このように、より表示画素数の多い方のモニタ（メインモニタ）に撮影画像を表示すれば、撮影画像を細部まで確認することができる。一方で、撮影設定等は補足的な情報であり、それほど多くの表示画素数を要求しないため、サブモニタに表示すればよい。
【００５２】
なお、ボディ制御装置１０９は、サブモニタの表示として撮影設定やヒストグラム等ではなく、１つ前の撮影画像にしてもよい。換言すると、ボディ制御装置１０９は、メインモニタとサブモニタとに、撮影画像を時間軸に応じて表示させるようにしてもよい。また、ボディ制御装置１０９は、サブモニタが複数ある場合に、そのうち１つのサブモニタに１つ前の撮影画像を表示させると共に、別のサブモニタにこれまで撮影した撮影画像をサムネイル表示させれば、ユーザは直前の撮影画像のみならず、それ以前の撮影画像についてもその内容を適宜確認することができ、更に使い勝手が向上する。
【００５３】
（３）ライブビュー状態
デジタルカメラ１が撮影待機状態のとき、ユーザが所定操作（例えばライブビューボタンの押下）を行うと、デジタルカメラ１はライブビュー状態に遷移する。ライブビュー状態に遷移するとき、ボディ制御装置１０９は、クイックリターンミラー１０３およびサブミラー１０５を退避位置に移動させる。
【００５４】
デジタルカメラ１がライブビュー状態の間、ボディ制御装置１０９は、所定周期（例えば６０分の１秒）ごとに撮像素子１０４に被写体像を撮像させ、スルー画を作成してメインモニタに表示する。メインモニタには、スルー画に重畳して、フォーカスエリアを表す矩形のカーソルが表示される。ユーザは不図示の操作部材（例えばカーソルキー等）によりこの矩形のカーソルを移動させることが可能である。
【００５５】
ボディ制御装置１０９は、ライブビュー状態の間、サブモニタにメインモニタに表示されているスルー画全体のうち、上記カーソルを中心とした一定領域を拡大表示し、ユーザによるピント調節を支援する。ボディ制御装置１０９は、上記カーソルの移動に追随して、サブモニタに拡大表示する領域も移動させる。
【００５６】
カメラボディ１００がライブビュー状態のとき、ユーザが所定操作（例えばレリーズスイッチの半押し操作）を行うと、ボディ制御装置１０９は前述の焦点検出装置１０６による自動焦点調節処理を実行する。
【００５７】
自動焦点調節処理の実行後、ユーザが所定操作（例えばレリーズスイッチの全押し操作）を行うと、ボディ制御装置１０９は撮影処理を実行する。撮影処理において、ボディ制御装置１０９は撮像素子１０４に被写体像を撮像させる。そして、撮像素子１０４のから出力された撮像信号に種々の画像処理を施して画像データを作成し、不図示の記憶媒体（例えばメモリカード等）に画像データを記憶する。撮影処理の実行後、ボディ制御装置１０９は、メインモニタにポストビュー表示を行う。ポストビュー表示の内容については前述の通りであるので説明を省略する。
【００５８】
（４）動画撮影状態
デジタルカメラ１が撮影待機状態またはライブビュー状態時のとき、ユーザが所定操作（例えば動画撮影ボタンの押下）を行うと、デジタルカメラ１は動画撮影状態に遷移する。このときボディ制御装置１０９は、クイックリターンミラー１０３およびサブミラー１０５が退避位置にない場合はそれらを退避位置に移動する。その後、ボディ制御装置１０９は、撮像素子１０４による動画撮影を開始する。すなわち、所定周期（例えば６０分の１秒）ごとに撮像素子１０４により被写体像を撮像し、撮像素子１０４から出力された撮像信号に種々の画像処理を施して動画の１フレームを作成する。作成されたフレームは、不図示の記憶媒体（例えばＤＲＡＭやメモリカード等）に一時記憶される。
【００５９】
ボディ制御装置１０９は、動画撮影中、メインモニタに撮影動画の各フレームを表示し、サブモニタに撮影動画の一部のフレームをサムネイル表示する。この一部のフレームとは、例えば１秒間隔で選択されたフレームや、シーンチェンジが行われたフレーム（前フレームから大きな変化があったフレーム）等である。ボディ制御装置１０９は、動画撮影中、メインモニタに撮影中の各フレームに重畳して、動画撮影中であることを示す情報（例えばスルー画を囲む枠線や、動画撮影中を表すアイコン）を表示する。
【００６０】
動画撮影中にユーザが所定操作を行う（例えば動画撮影ボタンを押下する）と、ボディ制御装置１０９は動画撮影を終了し、一時記憶した各フレームから成る動画データを不図示の記憶媒体（例えばメモリカード等）に記憶する。デジタルカメラ１は動画撮影を開始する前の状態（すなわち撮影待機状態またはライブビュー状態）に遷移する。
【００６１】
なお、上述においては外部モニタ３００を例にして説明を行ったが、カメラシステム１に付加的なモニタを内蔵させてもよい。
図６は、内蔵モニタ１１４を背面モニタ１１２の下側に設けた例を示す図面である。なお、この場合も内蔵モニタ１１４と背面モニタ１１２の仕様（レイアウトを含む）を比較して一方をメインモニタとし、他方をサブモニタとすればよい。なお、図６では、内蔵モニタ１１４と背面モニタ１１２との表示面積を同じとしているが、異なる表示面積としてもいい。また、図６では、背面モニタ１１２の下方に内蔵モニタ１１４を設けているが、上方、右側、左側に設けてもよく、斜めに設けてもよく、その数も１つに限定されない。更に、内蔵モニタ１１４をカメラシステム１から着脱可能とする構成をとってもよい。
【００６２】
上述した第１の実施の形態によるカメラシステムによれば、次の作用効果が得られる。
（１）撮像を行う撮像素子１０４と、背面モニタ１１２の仕様と、外部モニタ３００の仕様を比較するボディ制御装置１０９と、ボディ制御装置１０９の比較結果に基づいて、背面モニタ１１２に撮像に関する第１情報を表示させるとともに、外部モニタ３００に撮像に関する第１情報とは異なる第２情報を表示させるボディ制御装置１０９と、を備える。このようにしたので、各表示画面において、当該表示画面の仕様に応じた情報を表示することができる。
【００６３】
（２）ボディ制御装置１０９は背面モニタ１１２の画素数と外部モニタ３００の画素数とを比較する。このようにしたので、各表示画面において、当該表示画面の画素数に応じた情報を表示することができる
【００６４】
（３）ボディ制御装置１０９は、撮像素子１０４の撮像に基づくスルー画を背面モニタ１１２と外部モニタ３００との一方に表示し、スルー画を加工した画像を背面モニタ１１２と外部モニタ３００との他方に表示する。このようにしたので、精細なスルー画と、拡大した画像との両方を視認しつつ撮影を行うことができる。
【００６５】
（４）背面モニタ１１２の表示と外部モニタ３００の表示との一方に基づく操作を行う操作部材を備え、ボディ制御装置１０９は、背面モニタ１１２と外部モニタ３００との他方に操作部材の操作に応じた表示を行う。このようにしたので、操作性のよい電子機器を提供することができる。
【００６６】
（５）ボディ制御装置１０９は、メインモニタに第１の階層の表示を行い、サブモニタに第１の階層に関連した第２の階層の表示を行う。このようにしたので、操作性のよい電子機器を提供することができる。
【００６７】
（６）カメラボディ１００は、第２外部モニタ３０２を着脱可能に保持するアクセサリーシュー１５を備える。このようにしたので、操作性のよいデジタルカメラを提供することができる。
【００６８】
次のような変形も本発明の範囲内であり、変形例の一つ、もしくは複数を上述の実施形態と組み合わせることも可能である。
【００６９】
（変形例１）
上述した実施形態において、モニタ間の仕様として表示画素数を比較して管理番号を決定していたが、表示画素数以外の仕様を比較してもよい。例えば表示画面の面積（例えば横１０１．６ミリメートル×縦７６．２ミリメートル）を表すデータを上述した仕様データとして受信し、面積が大きいモニタをメインモニタ、小さいモニタをサブモニタとして扱うようにしてもよい。その他、アスペクト比、モニタの画面描画速度であるリフレッシュレート、液晶分子の電界に対する応答時間である応答速度、電力消費量、内蔵バッテリーの有無等、種々の仕様を管理番号の決定に利用することができる。例えば、リフレッシュレートや、応答速度のより速いモニタにより、ライブビュー表示を行ってもよく、電力消費量の少ないモニタでライブビュー表示を行ってもよい。
【００７０】
（変形例２）
上述した仕様データに応じて、外部モニタ３００に表示する内容を切り替えるようにしてもよい。例えば、ボディ制御装置１０９は、外部モニタ３００の表示画素数や表示画面の面積が一定以上である場合にはこれまでに撮影した複数の撮影画像を外部モニタ３００にサムネイル表示し、表示画素数や表示画面の面積が一定未満である場合にはそれら複数の撮影画像のうち撮影日時の新しいものを優先して外部モニタ３００に表示するようにしてもよい。
【００７１】
別の例としては、仕様データとして外部モニタ３００がタッチパネルを備えているか否かを表すデータを受信するようにし、タッチパネルを備えている場合にはタッチ操作に適したＵＩ（ユーザインタフェース）を、タッチパネルを備えていない場合にはカーソルキー等による操作に適したＵＩを、それぞれ外部モニタ３００に表示するようにしてもよい。例えばソフトウェアキーボードを表示する場合、各キーが小さすぎるとタッチ操作がし難くなる。そこで、ボディ制御装置１０９は、外部モニタ３００がタッチパネルを有している場合にはキーピッチの大きいソフトウェアキーボードを表示し、タッチパネルを有していない場合にはキーピッチの小さいソフトウェアキーボードを表示させる。同様に、ソフトウェアキーボードを表示する例において、表示画素数が多い場合と少ない場合とでキーピッチを変更することも可能である。つまり、表示画素数が多い場合にはより多数のキーを表示し、表示画素数が少ない場合には同時に表示されるキーの数を少なくする。このように、外部モニタ３００の仕様に応じて当該外部モニタ３００に表示する画面の構成を変更することで、より使い勝手のよい撮像装置を提供することが可能になる。
【００７２】
（変形例３）
上述した実施形態では、外部モニタ３００を、モニタ機能のみを有する単機能の表示装置としていたが、例えば、デジタルカメラ１と同様の、背面モニタを有する撮像装置を外部モニタとして用いることもできるし、タブレット型（スレート型）の可搬性情報端末を外部モニタとして用いることもできる。
【００７３】
（変形例４）
メインモニタとサブモニタとに表示する情報は、上述した各実施形態と異なるものであってもよい。優先度の異なる複数の情報であれば、どのような情報であっても、モニタの管理番号順に振り分けて表示するように構成することができる。
【００７４】
（変形例５）
上述した第１の実施の形態では、レンズ交換可能ないわゆる一眼レフレックス方式のデジタルカメラを例に説明した。本発明はこのような実施の形態に限定されない。例えば、レンズ一体型のデジタルカメラや、クイックリターンミラー１０３を持たないレンズ交換式のデジタルカメラ（ミラーレスカメラ）、タブレット型のコンピュータ等の携帯型電子機器に適用することが可能である。なお、このような各種の携帯型電子機器においては、電源がオンになった後や、撮像モードになった場合にライブビュー状態とすればよい。また、上述のカメラシステムの構成の一部（例えば光学ファインダー）を省略することもできる。
【００７５】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００７６】
１…デジタルカメラ、１００…カメラボディ、１０９…ボディ制御装置、１１２…背面モニタ、２００…交換レンズ、３００…外部モニタ、３０１…第１外部モニタ、３０２…第２外部モニタ、３０３…第３外部モニタ
【図１】
2014150508.tif 000003
【図２】
2014150508.tif 000004
【図３】
2014150508.tif 000005
【図４】
2014150508.tif 000006
【図５】
2014150508.tif 000007
【図６】
2014150508.tif 000008